(57)【要約】【課題】既存の構造、結構上の欠点を補い、かつコストが安く、製造が容易簡単で操作しやすく且つ確実堅固な新規改良された窓、門の錠装置を提供すること。【解決手段】スライドガラス窓、門の錠改良装置が、レバーとシャトル及びかんぬきとからなり、当該シャトルはコの字構造部があり、当該レバーは、上返り端部があり、当該レバーにてそのシャトルを上、下することによりかんぬきを同時に上下させること。また、前記シャトルのコの字構造部は、引き出入れ部上端と引き出入れ部下端がありレバーの上返り端部の滑りを受け入れられること。【選択図】図７
0003129220.tif 000002
【実用新案登録請求の範囲】
【請求項１】
レバー、シャトル及びかんぬきとからなり、当該シャトルはコの字構造部があり、当該レバーは、上返り端部があり、当該レバーにてそのシャトルを上、下することによりかんぬきを同時に上下させることを特徴とするスライドガラス窓、門の錠改良装置。
【請求項２】
前記シャトルのコの字構造部は、引き出入れ部上端と引き出入れ部下端がありレバーの上返り端部の滑りを受け入れられることを特徴とする前記請求項１のスライドガラス窓、門の錠改良装置。
【請求項３】
前記レバーの片側は、上返り端部で形成されていることを特徴とする前記請求項１のスライドガラス窓、門の錠改良装置。
【考案の詳細な説明】
【技術分野】
【０００１】
本考案は窓又は門の錠装置に関するもので、更に詳しくはレバーの上下作動によってスライドガラス窓、門を開閉する改良された錠装置に関するものである。
【背景技術】
【０００２】
ビル、マンション又は一般住宅の現代建築に取り付けている窓、門は、すべてがアルミ製品で仕上げられている、といっても過言ではない。それら窓、門に使われているこれまでの錠装置は、簡単且つ安価なかんぬき(plunger  unit)から構造が複雑で高価、又操作も非常にわずらわしい特許又は実用新案の製品が数多く提案され使われてきた。
【０００３】
上記これまでの窓、門の錠装置は、レバーでてこ作用を利用してかんぬきを上、下させるそれらのものを窓枠内に嵌め込んだ錠以外、そのほとんどがガラス窓枠の上側、あるいは下部、又は窓框とに取り付けしてあって人目につき易い体裁の悪いものばかりで、又これらの錠は比較的に貴く操作が複雑で故障し易いものであった。 
【考案の開示】
【考案が解決しようとする課題】
【０００４】
そこで、本考案の第1目的は上記のような既存の構造、結合上の欠点を補い、かつコストが安く、製造が容易簡単で操作しやすく且つ確実堅固な新規改良された窓、門の錠装置を提供することにある。
【０００５】
本考案の第2目的は、窓、門の開閉をつかさどる錠のシャトルとそのかんぬきの上下作動を、シャトル上のコの字構造部とレバーの上返り端部とで滑べり接触作動してなすことを考案したことにある。
【課題を解決するための手段】
【０００６】
上記の目的を達成するため、本考案のスライド窓、門の錠改良装置の錠本体は、レバーとそのレバー押えばね、シャトルとかんぬき及び受け座金、ガラス窓上べの窓框下部にあるかんぬき留めとそのかんぬきガイド座金とからなるもので、当該錠本体のレバー、レバー押えばね、シャトル及びかんぬきとその受け座金等はスライドガラス窓の窓枠内に嵌め込まれていて、窓の開閉をつかさどる錠のかんぬきはレバーの上下作動により上べ窓框に設けているかんぬき留めの孔に入れることが出来る様に着装せしめている。
本考案のシャトルは、コの字構造部を形成していてこれにより軽く又確実容易にレバーの上返り端部にてシャトルを上、下作動してかんぬきを上下させる。
【０００７】
レバーの片側は上返り端部があり、窓の引き手ハンドルとほぼ同じ高さのところに使用者が容易に窓を開け閉め出来るところに設けている。
幼い子供の手が容易にとどかないところとしてこれより高いところに設けてもよい。
【考案を実施するための最良の形態】
【０００８】
以下本考案のスライドガラス窓、門の錠改良装置の構造、特徴を図面に基づいて説明する。
図1は公知スライド窓とその窓框との着装構成図である。図中の1は錠本体であって、10は錠のレバー、5はスライドガラス窓、6は窓の引き手ハンドル、7は固定窓、 8は上べ窓框である。
【０００９】
図2は本考案の錠本体1をスライドガラス窓5の枠内に着装した側面図である。
本考案は図7を参考されたい。本考案はレバー10、レバー押えばね22、レバー固定軸231、コの字構造で形成されたシャトル21とシャトル連動のかんぬき4及び上べ窓框8にあるかんぬき留め孔81とからなるもので、当該レバー10の片側は上返り端部11 があり、シャトル21のコの字構造部は引き出し入れ部上端211、引き出し入れ部下端212及び引き出し入れ部内身213とからなり、レバー10の上下作動により同時にかんぬき4を上べ窓框8下部にあるかんぬき留め孔81に押し入れ、あるいは引き下げして錠の閉、開をするものである。
【００１０】
図3は、上べ窓框8下部とスライドガラス窓5間にあるかんぬき受け座金3とかんぬきガイド座金9との立体位置図で、図4は本考案のレバー10が下向きであるときを示す図であり、即ちシャトル21と連動のかんぬき4は図3のかんぬき受け座金3より上昇し、上べ窓框8のかんぬきガイド座金9を通りぬけて上べ窓框8の下部にあるかんぬき留め孔81に達し、そのときのスライドガラス窓5は閉められている状態にある。上記上べ窓框8下部のかんぬきガイド座金9は円い孔のあるほそ長い鉄片であって上べ窓框8のかんぬき留め作用をもつものである。
【００１１】
図5はレバー10が水平状態を示す図であり、この水平位置より高く上の方にあげれば錠本体1のシャトル21とかんぬき4はレバー10の作動により下に向かって滑り下降する。
【００１２】
図6はレバー10を上の方向に引き上げたときシャトル21とかんぬき4は下降してスライドガラス窓5を開いて移動することができることを示す図である。
【００１３】
図7は図3から図6迄に述べた本考案の錠本体1のレバー10の作動を示す図で、図から明らかなように本考案は、レバー固定軸231を中心としてレバー10を上に向かって引き上げればレバー10はばね22を押えつつ、その上返り端部11はシャトル21の引き出し入れ部上端211を滑り過し、シャトル21の引き出し入れ部内身213に入る、これと同時にシャトル21とかんぬき4はシャトルガイド溝233に沿って下の方へ半下降する
【００１４】
。
更にレバー10を水平位置より上の方へ引き上げれば、レバー10の上返り端部11はシャトルの引き出し入れ部内身213からシャトル引き出入れ部下端212へ滑り込み開鎖の正常状態にもどる。閉鎖の時は上記の操作を逆に操作すれば良い。
【図面の簡単な説明】
【００１５】
【図１】公知スライドガラス窓とその窓框との着装関係の構成を示す図である。
【図２】本考案の錠を窓枠内に取りつけたことを示す図である。
【図３】上べ窓框とそのかんぬきガイド座金とかんぬき受け座金との立体分解図である。
【図４】本考案のかんぬきが上昇のときの立体側面図である。
【図５】本考案のかんぬきが下降動作時の立体側面図である。
【図６】本考案のかんぬきが下降された時の立体側面図である。
【図７】本考案の詳細な側面図とそのレバー上下作動関係を示す図である。
【符号の説明】
【００１６】
1  錠本体
10  レバー
11  レバーの上返り端部
21  シャトル
211  シャトル引き出入れ部上端
212  シャトル引き出入れ部下端
213  シャトル引き出入れ部内身
22  ばね
231  レバー固定軸
232  シャトルのガイドピン
233  シャトルのガイド溝
3  かんぬき受け座金
4  かんぬき
5  スライドガラス窓
6  窓の引き手ハンドル
7  固定窓
8  上べの窓框
81  かんぬき留め孔
9  上べ窓框のかんぬきガイド座金
【図１】
0003129220.tif 000003
【図２】
0003129220.tif 000004
【図３】
0003129220.tif 000005
【図４】
0003129220.tif 000006
【図５】
0003129220.tif 000007
【図６】
0003129220.tif 000008
【図７】
0003129220.tif 000009